(57)【要約】      （修正有）【課題】洗浄ノズルを効率よく洗浄でき、ノズル洗浄時には並設される洗浄ノズルに悪影響を与えず、衛生面での向上が図れる局部洗浄装置を提供する。【解決手段】人体局部の洗浄を行う並設された筒状の第１ノズル３Ａと第２ノズル３Ｂとを有する局部洗浄ユニット２の洗浄ノズル３には、局部洗浄孔の周囲にノズル洗浄部を設ける。ノズル洗浄部は、夫々の局部洗浄孔の周囲を覆い、周方向にノズル洗浄孔９Ａ，９Ｂが形成された筒状体８Ａ，８Ｂを有し、筒状体８Ａ，８Ｂに対して洗浄水を供給することによりノズル洗浄を行う構成とした。【選択図】図４
2015055030.tif 000002
【特許請求の範囲】
【請求項１】
本体部と、
使用者が着座する開口した着座面を有し、前記本体部に対して回動自在な便座と、
前記本体部に取り付けられ、洗浄水にて局部洗浄孔から洗浄水を吐出して人体局部の洗浄を行う並設された筒状の第１ノズルと第２ノズルとを有する局部洗浄ユニットと、
前記局部洗浄孔の周囲に設けられ、前記局部洗浄孔の洗浄を行うノズル洗浄部とを備え、
前記ノズル洗浄部は、夫々の前記局部洗浄孔の周囲を覆い、周方向にノズル洗浄孔が形成された筒状体を有し、該筒状体に対して洗浄水を供給することによりノズル洗浄を行う局部洗浄装置。
【請求項２】
前記ノズル洗浄部は、
前記両ノズルを支持する固定部材に対して設けられる洗浄部ベースと、該洗浄部ベースに取り付けられ、外部より洗浄水が前記筒状体へと供給されて、前記筒状体の前記ノズル洗浄孔を介して洗浄水を噴射する洗浄カバーを有する請求項１に記載の局部洗浄装置。
【請求項３】
前記ノズル洗浄孔は、ノズル中心に向けて洗浄水を噴射する孔が前記筒状体の周方向に形成されている請求項１に記載の局部洗浄装置。
【請求項４】
前記ノズル洗浄孔は、筒状ノズルに対して周方向に向けて洗浄水を噴射するよう所定角度傾斜して前記筒状体に形成されている請求項１または請求項２に記載の局部洗浄装置。
【請求項５】
前記ノズル洗浄部は、洗浄後の洗浄水が前記ノズル周囲を覆う前記筒状体の内周面を介して外部排出される請求項１に記載の局部洗浄装置。
【発明の詳細な説明】
【技術分野】
【０００１】
本発明は、洗浄水によって洗浄ノズルの洗浄を行う局部洗浄装置に関するものである。
【背景技術】
【０００２】
従来、局部洗浄装置においては、使用者の人体局部を洗浄するノズルとして第１洗浄ノズルおよび第２洗浄ノズルの２つのノズル、即ち、おしり用洗浄ノズルとビデ用洗浄ノズルの上部(噴出側)にカバー部を備えている。そして、両洗浄ノズルとカバー部との空間に両ノズルの先端上部に洗浄水を導いて吐出する掃除用洗浄水路が設けられており、洗浄ノズルの先端部に付着した汚物を掻き落とす構成が示されている（特許文献１）。
【０００３】
また、同様な装置では、洗浄ノズルがノズル本体に格納されている状態において、ノズル先端の噴出口に対して洗浄水が流路切替弁の切替によりノズル洗浄用管路体を介して給され、管路体から３方向に分岐されてノズル洗浄を行う噴射口へと導かれる構成が示されている（特許文献２）。
【先行技術文献】
【特許文献】
【０００４】
【特許文献１】特開２００１−１５２５２０号公報
【特許文献２】特開２００２−２１３００４号公報
【発明の概要】
【発明が解決しようとする課題】
【０００５】
しかしながら、特許文献１に示される装置においては、洗浄ノズルの上面しか掃除されず、効率的なノズル洗浄を行うことができない。
【０００６】
また、特許文献２に示される装置では、一方の洗浄ノズルを洗浄した使用済の汚れた洗浄水が並設された他方の洗浄ノズルへも飛散し、衛生上好ましい洗浄とは言えなくなってしまうので、その対策が必要となってくる。
【０００７】
そこで、本発明は上記問題点に鑑みて成されたものであり、洗浄ノズルを効率よく洗浄でき、ノズル洗浄時には並設される洗浄ノズルに悪影響を与えず、衛生面での向上が図れる局部洗浄装置を提供することを課題とする。
【課題を解決するための手段】
【０００８】
上記した課題を解決するために講じた手段は、本体部と、使用者が着座する開口した着座面を有し、前記本体部に対して回動自在な便座と、前記本体部に取り付けられ、洗浄水にて局部洗浄孔から洗浄水を吐出して人体局部の洗浄を行う並設された筒状の第１ノズルと第２ノズルとを有する局部洗浄ユニットと、前記局部洗浄孔の周囲に設けられ、前記局部洗浄孔の洗浄を行うノズル洗浄部とを備え、
前記ノズル洗浄部は、夫々の前記局部洗浄孔の周囲を覆い、周方向にノズル洗浄孔が形成された筒状体を有し、該筒状体に対して洗浄水を供給することによりノズル洗浄を行う構成とした。
【０００９】
上記構成において、前記ノズル洗浄部は、前記両ノズルを支持する固定部材に対して設けられる洗浄部ベースと、該洗浄部ベースに取り付けられ、外部より洗浄水が前記筒状体へと供給されて、前記筒状体の前記ノズル洗浄孔を介して洗浄水を噴射する洗浄カバーを有する構成とすると良い。
【００１０】
また、前記ノズル洗浄孔は、ノズル中心に向けて洗浄水を噴射する孔が前記筒状体の周方向に形成されていることが好ましい。
【００１１】
或いは、前記ノズル洗浄孔は、筒状ノズルに対して周方向に向けて洗浄水を噴射するよう所定角度傾斜して前記筒状体に形成されていることが好ましい。
【００１２】
更には、前記ノズル洗浄部は、洗浄後の洗浄水が前記ノズル周囲を覆う前記筒状体の内周面を介して外部排出される構成とすると良い。
【発明の効果】
【００１３】
本発明によれば、ノズル洗浄部は、第１ノズルおよび第２ノズル夫々の局部洗浄孔の周囲を覆い、周方向にノズル洗浄孔が形成された筒状体を有し、筒状体に対して洗浄水を供給することによりノズル洗浄を行う構成としたので、局部洗浄孔の周囲は周方向にノズル洗浄孔が形成された筒状体で夫々が覆われるので、従来のように洗浄ノズルの上面しか掃除されないという問題点が解決され、ノズル洗浄孔の周囲に筒状体を設けるという簡単な構成で効率的なノズル洗浄を行うことができる。筒状体は局部洗浄を行う第１ノズルおよび第２ノズルの各々の周囲に設けられるので、一方のノズルを洗浄した使用済の汚れた洗浄水が並設された他方のノズルへも飛散することが筒状体を個別に設けることにより防止され、衛生上好ましい洗浄を行うことができる。
【００１４】
また、本発明によれば、ノズル洗浄部は、洗浄部ベースが両ノズルを支持する固定部材に対して設けられ、外部より洗浄水が筒状体へと供給される洗浄カバーを設けて、筒状体のノズル洗浄孔を介して洗浄水を噴射するという簡単な構成で、衛生上好ましい局部洗浄装置を実現できる。
【００１５】
また、ノズル洗浄孔は、ノズル中心に向けて洗浄水を噴射する孔が筒状体の周方向に形成されていると、ノズル中心に向けた洗浄水の圧力により、局部洗浄孔に付着した汚物を周方向から同時に効率良く洗浄することができる。
【００１６】
或いは、ノズル洗浄孔は、筒状ノズルに対して周方向に向けて洗浄水を噴射するよう所定角度傾斜して筒状体に形成されていれば、筒状ノズルに対して周方向から洗浄水を噴射することができ、局部洗浄孔の周囲の広範囲な領域を効率良く洗浄することができる。
【００１７】
更には、ノズル洗浄部は、洗浄後の洗浄水がノズル周囲を覆う筒状体の内周面を介して外部排出されるので、筒状体によって効率良く外部排出が行え、洗浄カバー内に洗浄後の汚れた洗浄水が溜まることが防止される。このため、洗浄カバー内に汚れて溜まった洗浄水の影響によるノズル洗浄部の腐食や悪臭等が防止でき、衛生面での向上が図れる。
【図面の簡単な説明】
【００１８】
【図１】本発明の一実施形態に係る局部洗浄装置の斜視図である。
【図２】図１に示す局部洗浄ユニットの側面図である。
【図３】図２に示す局部洗浄ユニットの斜視図である。
【図４】図３のノズル洗浄部の洗浄部カバーを外した状態を説明する斜視図である。
【図５】図２に示す局部洗浄ユニットの上視図である。
【図６】図２に示すＶＩ−ＶＩでの断面図である。
【図７】図５に示すＶＩＩ−ＶＩＩでのノズル洗浄部の発明要所の部分拡大図である。
【図８】図６の変形例を示すノズル洗浄部の断面図である。
【発明を実施するための形態】
【００１９】
以下、本発明の一実施形態の構成について、図面を参照しつつ詳細について説明する。なお、以下の説明において、方向に関して、前後（方向）とは、図１においてｘ方向であり、後述する洗浄ノズル３を便座２３の開口２５に対して進退させる場合、洗浄ノズル３の突出側を前、後退側を後とする。また、幅方向とは、図１においてｙ方向であり、着座面２４に対して左右の方向（回動軸２２が本体部２０に対して挿通される方向とする。更に、上下（方向）とは、図１においてｚ方向であり、使用者が着座する着座面２４に対して上下の方向と定義する。
【００２０】
図１において、局部洗浄装置１は、図示しない洋式便器の上部に設けられるものであり、局部洗浄ユニット２および局部洗浄ユニット２の動作を外部スイッチまたは各種センサからの情報に基づきノズル制御や洗浄制御を行う制御装置（図示せず）を内部に有する本体部２０と、便座２３および便蓋２６とを備える。
【００２１】
図１において、局部洗浄装置１は、主として、便座後方に設けられる本体部２０、本体部２０に対して幅方向（ｙ方向）に挿通された回動軸２２を中心として、着座面２４に対し上下方向（ｚ方向）に回動する便座２３と、便座２３の着座面２４の中央に形成された開口２５に対して、使用者が便座使用時に開状態とし、便座未使用時には着座面２４の開口２５を閉塞する閉状態とする便蓋２６とを備えている。
【００２２】
本体部２０は床面に固定された便器の後方にベースプレート２１を底板として取り付けられ、ベースプレート２１上に本体部２０が取り付けられている。本体部２０には、ノズル動作を行わせ、おしり洗浄、ビデ洗浄、或いは、ノズル洗浄を行わせるスイッチや、おしり洗浄後等に人体局部を乾燥させる図示しないヒータを作動させるスイッチ類や、スイッチ類からの信号を受けてこれらの制御を行う制御装置を内部に備えているが、これに限定されるものではない。
【００２３】
図２〜図５は、ユニット化される局部洗浄ユニット２の構造を示し、この構造について、図面を参照して説明する。局部洗浄ユニット２は本体部２０の幅方向中央において配設され、主として、ノズルベース３１、ノズルガイド４、一対のノズル３、ノズル洗浄部４０とを備える。
【００２４】
図２に示す形状の局部洗浄ユニット２は、上部に傾斜面を有する略三角形状を呈し、本体部２０の基礎となるベースプレート２１に対して、図５に示すようにノズル両側に夫々形成された２箇所のフランジ状の取付部３５、３６によって、ボルト等の締結部材によりノズルベース３１に２カ所で固定されている。
【００２５】
ノズルベース３１は上部に２本並設される洗浄ノズル３（第１ノズル３Ａ、第２ノズル３Ｂ）を着座面２４の開口２５に対して一方の洗浄ノズル３を進退させることにより、図１の如く出没させるノズルガイド４が上方に設けられる。ノズルガイド４はノズルベース上に長方形状を呈したものが取り付けられるが、上面に前後方向（ｘ方向）に並設された一対の洗浄ノズル３の所定位置での位置決めを行う凹部（図示せず）を内部に有すると共に、一対の洗浄ノズル３（３Ａ、３Ｂ）を中央で区画する中央ガイド４４が、ｘ方向に延在して立設されている。中央ガイド４４は洗浄ノズル３（３Ａ，３Ｂ）の移動方向をｘ方向に規制してガイドするガイド面が下方に形成されている。
【００２６】
洗浄ノズル３は、本実施形態では、第１洗浄ノズル（第１ノズルと称する）３Ａと第２洗浄ノズル（第２ノズル）３Ｂとを一対で備えている。本実施形態の説明では一例として、第１ノズル３Ａは人体局部、即ち、使用者の一局部であるお尻洗浄用のノズルであり、第２ノズル３Ｂは一局部である女性のためのビデ洗浄用のノズルとして以下に説明するが、両者は逆であっても良く、これに限定されるものではない。以下の説明では、個々のノズルを説明する場合、一例として、おしり洗浄を行うノズル側に対しては数字の後に「Ａ」を付加し、ビデ洗浄を行うビデ側ノズルに対しては数字の後に「Ｂ」を付加して説明する。両ノズルのいずれか特定されない場合、両方をまとめて説明するときは、「Ａ」および「Ｂ」を付加しないで説明を行う。
【００２７】
ノズルベース３１は、洗浄ノズル３（３Ａ、３Ｂの少なくともいずれか）を使用時に前後方向（ｘ方向）に移動させるため、図示しないモータがノズルベース側面に取り付けられ、モータ出力軸３２の回転によって回転駆動されるピニオンギヤ３３を下方の内部に備える。ピニオンギヤ３３にはラック３４が噛合するが、ラック３４はｘ方向の所定領域、筒状を呈する洗浄ノズル３の下面に形成された図６に示す平面部５３（５３Ａ，５３Ｂ）に一体で形成されている。これにより、図示しないモータ出力軸３２の回転によって、洗浄ノズル３のいずれか一方のノズル３（３Ａまたは３Ｂ）が、上下方向において所定角度（例えば、３０〜４５度）を保持した状態で、前後方向に進退動作することができる。
【００２８】
ノズルベース上の数箇所に設けられる爪部（図示せず）により嵌着にて取り付けられるノズルガイド４には、一対の洗浄ノズル３をｙ方向で区画して、ｘ方向に洗浄ノズル３の一方の独立した移動が行えるようガイドする中央ガイド４４が一体で設けられている。
【００２９】
洗浄ノズル３は、幅方向に２本一対で、使用者のスイッチ操作により前後方向に一方が移動自在に並設されている。洗浄ノズル３の後方側面にはそれぞれＬ字状を呈し外部の洗浄水供給源（図示せず）より洗浄水が供給される給水口１０を有している。
【００３０】
洗浄ノズル３は、給水口１０側の端部が有底の細長い中空略円筒状を呈し、洗浄水が内部の内部水路５２（５２Ａ，５２Ｂ）に流れるようになっている。洗浄ノズル３の前方には洗浄ノズル３と外径および内径を同一とするノズルヘッド５（５Ａ、５Ｂ）が夫々取り付けられている。
【００３１】
給水口１０（１０Ａ，１０Ｂ：両方同じ洗浄水供給源から供給）から供給された洗浄水は、洗浄ノズル３（３Ａ，３Ｂ）の内部水路５２（５２Ａ，５２Ｂ）を通り、洗浄ノズル３の先端に嵌められたノズルへッド５（５Ａ，５Ｂ）の上面に形成された局部洗浄孔７（７Ａ，７Ｂ）を介して、図１のように洗浄ノズル３の一方（３Ａまたは３Ｂ）を前方に突出させた状態で、使用者の人体局部に向けて噴出される構成となっている。
【００３２】
洗浄ノズル３の構成について、詳しく説明すると、おしり洗浄を行う第１ノズル３Ａはｘ方向に延在した細長い中空円筒状を呈し、下面に平らな平面部５３Ａを有すると共に、洗浄水が流れる内部水路５２Ａを有し、その上面と下面には、図６に示すように上下に平行な平面部５６Ａ，５７Ａが形成されている。第１ノズル３Ａの前端には、前端への装着後、回転させることにより脱着自在なノズルヘッド５Ａが取り付けられ、ノズルベッド５Ａの上面には第１口径を有する径同一の２つの局部洗浄孔７Ａ（図７の７Ｂの位置に相当）が形成されている。
【００３３】
一方、女性向けのビデ洗浄を行う第２ノズル３Ｂの前端には、第１ノズル３Ａと同じ長さおよび同一径で、ｘ方向に延在した細長い中空円筒状を呈し、上面がテーパ面５３Ｂとなり下面が平らな平面部５３Ｂを有すると共に、洗浄水が流れる内部水路５２Ｂの上面と下面に、図６に示すように上面に着座面に着座した使用者の局部に洗浄水を噴射させるよう中心側に傾斜したテーパ部５６Ｂと下面が平らな平面部５７Ｂとを有する。第２ノズル３Ｂの先端には、先端への装着後に回転させることにより脱着自在なノズルヘッド５Ｂを有し、ノズルベッド５Ｂの上面に上記した第１径口よりも小さい第２径口を有する７つの局部洗浄孔７Ｂ（図７では３つのみ）が形成されている。
【００３４】
上記したように、洗浄ノズル３は、ノズルヘッド５の上面に形成された局部洗浄孔７より使用者の人体局部に向けて外部から供給される洗浄水を噴出して人体局部を洗浄する。尚、局部洗浄孔７の口径、大きさ、孔の数、形状等はこれに限定されない。
【００３５】
次に、本発明のノズル洗浄部４０について説明する。
【００３６】
ノズル洗浄部４０は、洗浄部ベースとなる洗浄ベースプレート４１が、ノズル固定部材である、例えば、ノズルベース３１、ノズルガイド４、或いは、本体部２０側の可動を伴わない固定部材（例えば、本体部を覆うカバー）のいずれかに一体または別体にて取り付けられるものであり、固定部材に取り付けられる洗浄ベースプレート４１と洗浄ベースプレートに取り付けられる洗浄部カバー４２とで形成される図６に示すような内部空間に内部水路５０が形成され、夫々の洗浄ノズル３の局部洗浄孔７（７Ａ，７Ｂ）に対して２つの筒状体８により洗浄水を外部より取り入れて供給するものである。
【００３７】
洗浄ノズル３の前端に取り付けられるノズルヘッド５の周囲には、内部を洗浄ノズル３が進退移動自在な状態で、ノズルガイド４またはノズルベース３１といったノズル固定部材に、一体または別体でノズル洗浄を行うノズル洗浄部４０が、図２の如く取り付けられている。図３はノズル洗浄部４０の洗浄部カバー４２を装着した状態を示し、図４は洗浄部カバー４２を洗浄ベースプレート４１から外した状態の斜視図である。
【００３８】
ノズル洗浄部４０は、図２に示すようにノズル非作動状態（初期位置）の場合には、ノズルヘッド５の先端部６（６Ａ、６Ｂ）が前方に突出し露出する状態となっており、局部洗浄孔７（７Ａ、７Ｂ）を周方向において周囲から覆うように構成されている。
【００３９】
筒状体８（８Ａ，８Ｂ）は局部洗浄孔７（７Ａ、７Ｂ）の周囲に設けられ、複数のノズル洗浄孔９を筒状体８の周方向に等間隔で形成した中空筒状を呈する。局部洗浄孔７に対してノズル洗浄孔９（９Ａ、９Ｂ）より、洗浄水をノズル洗浄用の給水口４３を供給する洗浄カバー４２の上部側面に備えている。
【００４０】
複数のノズル洗浄孔９に関しては、ノズル中心に向けて洗浄水を噴射する孔が筒状体８（８Ａ，８Ｂ）の周方向に形成されているが、変形例としては図８に示すようにノズル洗浄孔９は、筒状ノズルに対して周方向に向けて洗浄水を噴射するよう所定角度傾斜して筒状体８に形成されている構成とすることもできる。
【００４１】
ノズル洗浄孔９が形成された筒状体８（８Ａ、８Ｂ）は、所定間隔をおいて２個並設されており、図６に示す如く、筒状体８（８Ａ，８Ｂ）の下方は洗浄部カバー４２の下面が筒状体の外形形状に沿って湾曲部４２（４２Ａ，４２Ｂ）が洗浄部カバー４２に形成されている。この状態で２つの筒状体８（８Ａ，８Ｂ）は洗浄部カバー４２の中央に対向部位５１が形成され互いに平行な平面となっている。筒状体８の外側で洗浄部カバー４２と洗浄ベースプレート４１とにより形成された内部水路５０から周方向に設けられたノズル洗浄孔９（９Ａ，９Ｂ）から洗浄ノズル３の局部洗浄孔７に対して洗浄水が所望の水圧で勢いよく噴射されることで、局部洗浄孔７の周囲を互いに干渉なく洗浄することができる。この場合、ノズル洗浄を行う側の洗浄ノズル３をモータ動力によりノズル使用時の初期位置から使用位置までのノズル移動または使用後の使用位置から初期位置までのノズル移動を利用して、洗浄ノズル３が前後方向に動く動作を利用して、移動過程において所定領域での洗浄を行えば、洗浄面積を広く確保することができる。また、図示しない洗浄スイッチを押す操作によっても、洗浄ノズル３の洗浄を行うことができることは言うまでもない。
【００４２】
上記したように、２つの並設された筒状体８（８Ａ，８Ｂ）は一方の洗浄ノズル（例えば、第1ノズル３Ａ）を洗浄した使用済みの汚れた洗浄水が、第１ノズル３Ａに並設された他方の洗浄ノズル（例えば、第２ノズル３Ｂ）へ飛散しない。これとは逆に、一方の洗浄ノズル（例えば、第２ノズル３Ｂ）を洗浄した使用済みの汚れた洗浄水が、第２ノズル３Ｂに並設された他方の洗浄ノズル（例えば、第１ノズル３Ａ）へ飛散しない構成となるる。
【００４３】
図６においては、筒状体８（８Ａ，８Ｂ）におけるノズル洗浄孔９（９Ａ，９Ｂ）の向きに関して、洗浄ノズル３（３Ａ，３Ｂ）の中心に対し、上半分では、ノズル中心から等角度で放射状に筒状体８に形成され、下半分では、湾曲部４２Ａ，４２Ｂと干渉しない、ずれた位置に平面部５３（５３Ａ、５３Ｂ）に向けて斜め方向から効率良く洗浄が行えるよう、ノズル中心からの放射方向より所定角度ずれた角度で筒状体８に貫通した状態で形成されている。
【００４４】
次に、ノズル洗浄の動作について説明を行う。
【００４５】
図６を参照し、図７の如くビデ用の洗浄ノズル３Ｂを洗浄する場合について説明する。
【００４６】
ノズル洗浄は上述したように、使用者によりノズル洗浄スイッチが操作されたか、または、おしり用またはビデ用のいずれかの洗浄ノズル使用時の開始と終了時に行われる。
【００４７】
操作スイッチ等の操作によってノズル洗浄動作が起動されると、ノズル洗浄部４０の側方に設けられた洗浄水が供給される給水口４３を介して所定圧で供給される。給水口４３より供給された洗浄水は、まず、洗浄部カバー４２と洗浄ベースプレート４１とで形成される内部水路５０に供給される。ここで、内部水路内には周方向に複数のノズル洗浄孔９（９Ａ，９Ｂ）を有する２つの筒状体８（８Ａ、８Ｂ）が設けられているので、内部水路５０に供給された洗浄水は小さな孔径となったノズル洗浄孔９（９Ａ、９Ｂ）を介してオリフィス効果により圧力が高まり勢いよく周方向から洗浄ノズル３（３Ａ，３Ｂ）にそれぞれ設けられたノズルヘッド５（５Ａ，５Ｂ）の外周を目掛けて噴出されることで、局部洗浄孔７（７Ａ，７Ｂ）の周面を効率良く、簡単な構成できれいに洗い流すことができる。これにより、洗浄ノズル３のノズルヘッド５に付着した汚物や洗浄時に便器から跳ね返る汚れた水滴等をきれいに洗い流すことができる。
【００４８】
ノズル洗浄時に、洗浄ノズル３を洗い流した、汚れた洗浄水は、自重により筒状体８（８Ａ，８Ｂ）の内周面にガイドされ下方に沿って伝わり、図７に示す矢印の如く、ノズル洗浄部４０の外部へと排出される。この場合、洗浄ノズル３の下方の外周面と筒状体８の下方の内周面とで構成される排出水路５９（５９Ａ，５９Ｂ）を伝ってノズル洗浄部４０の外部、即ち、便器内部へと排出することで、衛生面が向上する。
【００４９】
本実施形態においては、筒状体８を洗浄ベースプレート４１に一体とするが、これに限定されるものではなく、別々の部材として溶着させたり、一体形成により形成することも可能である。洗浄部カバー４２の下方には筒状体８の外周面と対応した形状でわずかな隙間を介して湾曲部４２（４２Ａ、４２Ｂ）を設けているが、湾曲部４２を形成することにより、洗浄ノズル３と洗浄部カバー４２との組付け誤差を吸収することができる。この場合、上下または左右方向に所定の隙間を設けると良い。湾曲部４２を洗浄部カバー４２に設けることにより、ノズル洗浄部４０の小型化を図ることができる。
【００５０】
図８において、図６を変形したノズル洗浄孔９（９Ａ，９Ｂ）について説明すると、洗浄ノズル３のノズル中心とした放射方向より所定角度ずれていても良い。この場合、複数のノズル洗浄孔３に対する傾斜する方向はすべて同じで、反時計方向に傾斜して設けられていても良い。図６と同様に、洗浄水が内部水路５０に満たされ、ノズル洗浄孔９によりオリフィス効果によって高くなった水圧でノズル洗浄孔９（９Ａ，９Ｂ）から洗浄水が噴出されるが、図６より噴出範囲がより広くなり、より効率的な洗浄効果を得ることができる。
【符号の説明】
【００５１】
１  局部洗浄装置
２  局部洗浄ユニット
３（３Ａ、３Ｂ）  洗浄ノズル（第１ノズル、第２ノズル）
５（５Ａ，５Ｂ）  ノズルヘッド  （第一ノズルヘッド、第２ノズルヘッド）
７（７Ａ、７Ｂ）    局部洗浄孔（第１局部洗浄孔、第２局部洗浄孔）
８（８Ａ、８Ｂ）  筒状体（第１筒状体、第２筒状体）
９（９Ａ、９Ｂ）  ノズル洗浄孔（第１ノズル洗浄孔、第２ノズル洗浄孔）
１０（１０Ａ、１０Ｂ）  給水口（第１給水口、第２給水口）
２０  本体部
２３  便座
２４  着座面
３１  ノズルベース（ノズル固定部材）
４０  ノズル洗浄部
４１  洗浄ベースプレート（洗浄部ベース）
４２  洗浄カバー
４３  給水口（第３給水口）
【図１】
2015055030.tif 000003
【図２】
2015055030.tif 000004
【図３】
2015055030.tif 000005
【図４】
2015055030.tif 000006
【図５】
2015055030.tif 000007
【図６】
2015055030.tif 000008
【図７】
2015055030.tif 000009
【図８】
2015055030.tif 000010